(57)【要約】【課題】貯槽用資機材搬出入架台の製作コスト（人件費や材料費）を最小限に抑える。【解決手段】貯槽内部に資機材を搬入する際或いは貯槽内部から資機材を搬出する際に前記資機材の置き場所及び搬出入作業者の足場として利用される貯槽用資機材搬出入架台において、金属フレームを箱型に連結して成り、単体で輸送される基本構造体と、前記基本構造体とは別に輸送され、前記資機材の置き場所及び搬出入作業者の足場としての機能を満たすために前記基本構造体に対して着脱自在に装着される備品とを備える。【選択図】図１
2014070480.tif 000002
【特許請求の範囲】
【請求項１】
貯槽内部に資機材を搬入する際或いは貯槽内部から資機材を搬出する際に前記資機材の置き場所及び搬出入作業者の足場として利用される貯槽用資機材搬出入架台において、
金属フレームを箱型に連結して成り、単体で輸送される基本構造体と、
前記基本構造体とは別に輸送され、前記資機材の置き場所及び搬出入作業者の足場としての機能を満たすために前記基本構造体に対して着脱自在に装着される備品と、
を備えることを特徴とする貯槽用資機材搬出入架台。
【請求項２】
前記備品は、前記基本構造体の天井部に載置され、前記資機材の置き場所及び搬出入作業者の足場となる天板と、前記天板の周囲に立設される安全対策用の手摺りと、前記天板上にアクセスするための階段或いは梯子と、前記基本構造体の高さ調整部材とを含むことを特徴とする請求項１に記載の貯槽用資機材搬出入架台。
【発明の詳細な説明】
【技術分野】
【０００１】
本発明は、貯槽用資機材搬出入架台に関する。
【背景技術】
【０００２】
従来から、貯水タンクやＬＮＧタンク等の大型貯槽の建設時において、その貯槽内部に資機材を搬入する、或いは貯槽内部から資機材を搬出する際に、資機材の置き場所や搬出入作業者の足場などとして利用される架台（以下、貯槽用資機材搬出入架台と称す）が製作されている。例えば、下記特許文献１には、ＬＮＧタンクの建設時において、ピット内壁と外槽間のリング間隙に吊り下げられた内槽底板を、その弾性限度内で曲げてタンク内に取り込むための搬入架台が記載されている。
【先行技術文献】
【特許文献】
【０００３】
【特許文献１】特開２０００−１２００９２号公報
【発明の概要】
【発明が解決しようとする課題】
【０００４】
従来の貯槽用資機材搬出入架台は、大型貯槽の建設現場、或いはその近くの工場などで製作された後、大型貯槽に設けられた資機材搬出入口の近くに設置され、資機材の置き場所や搬出入作業者の足場などとして利用された後、解体されていた。そのため、人件費及び材料費の高い地域では、貯槽用資機材搬出入架台の製作コストが増加する傾向にあった。
【０００５】
本発明は上述した事情に鑑みてなされたものであり、貯槽用資機材搬出入架台の製作コスト（人件費や材料費）を最小限に抑えることを目的とする。
【課題を解決するための手段】
【０００６】
上記目的を達成するために、本発明では、貯槽用資機材搬出入架台に係る第１の解決手段として、貯槽内部に資機材を搬入する際或いは貯槽内部から資機材を搬出する際に前記資機材の置き場所及び搬出入作業者の足場として利用される貯槽用資機材搬出入架台において、金属フレームを箱型に連結して成り、単体で輸送される基本構造体と、前記基本構造体とは別に輸送され、前記資機材の置き場所及び搬出入作業者の足場としての機能を満たすために前記基本構造体に対して着脱自在に装着される備品とを備える、という手段を採用する。
【０００７】
また、本発明では、貯槽用資機材搬出入架台に係る第２の解決手段として、上記第１の解決手段において、前記備品は、前記基本構造体の天井部に載置され、前記資機材の置き場所及び搬出入作業者の足場となる天板と、前記天板の周囲に立設される安全対策用の手摺りと、前記天板上にアクセスするための階段或いは梯子と、前記基本構造体の高さ調整部材とを含む、という手段を採用する。
【発明の効果】
【０００８】
本発明によれば、基本構造体及び備品を人件費及び材料費の安い地域で製作しておき、必要な時に、これらの基本構造体及び備品を貯槽の建設現場に輸送し、現地で基本構造体に備品を装着するだけで容易に貯槽用資機材搬出入架台を組み立てることができるようになるため、貯槽用資機材搬出入架台の製作コスト（人件費や材料費）を最小限に抑えることが可能となる。貯槽用資機材搬出入架台の使用後は、基本構造体から備品を外すだけで解体でき、それぞれを新たな貯槽の建設現場に輸送して使い回すこともできる。
また、輸送費計算や船積書類準備等も容易となる。なお、基本構造体を海上輸送する際には、備品を海上輸送用コンテナに積んで一緒に輸送すれば良い。
【図面の簡単な説明】
【０００９】
【図１】本実施形態に係る貯槽用資機材搬出入架台１の概略構成図である。
【図２】本実施形態に係る貯槽用資機材搬出入架台１が大型貯槽２の近くに設置された状態を示した図である。
【発明を実施するための形態】
【００１０】
以下、本発明の一実施形態について、図面を参照しながら説明する。
図１は、本実施形態に係る貯槽用資機材搬出入架台１の概略構成図である。貯槽用資機材搬出入架台１は、貯水タンクやＬＮＧタンク等の大型貯槽２（後述の図２参照）の建設時において、その貯槽内部に資機材を搬入する、或いは貯槽内部から資機材を搬出する際に、資機材の置き場所及び搬出入作業者の足場として利用される架台である。
【００１１】
この貯槽用資機材搬出入架台１は、金属フレーム１１（例えば鉄骨フレームやアルミフレーム等）を接続金具１２を用いて箱型に連結して成る基本構造体１０と、資機材の置き場所及び搬出入作業者の足場としての機能を満たすために基本構造体１０に対して着脱自在に装着される備品２０とから構成される。なお、図１（ａ）は、基本構造体１０の構成を単体で示した図であり、図１（ｂ）は、各備品２０が基本構造体１０に装着された状態を示した図である。
【００１２】
基本構造体１０は、単体で輸送し得るように、海上輸送用コンテナの国際規格に準拠した寸法で構成された箱型構造体である。周知のように、海上輸送用コンテナの国際規格には、主に長さ寸法について２０フィートと４０フィートの２つの規格（両規格ともに幅寸法（８フィート）と、高さ寸法（８フィート６インチ）は同じ）があるが、どの規格に合わせるかは、大型貯槽の規模に応じて適宜決定すれば良い。勿論、基本構造体１０の重量も国際規格に準拠することが望ましい。
【００１３】
また、図１では図示を省略しているが、基本構造体１０の底部４隅に配置された接続金具１２には、海上輸送用コンテナと同様に、ツイストロック等の輸送中のハンドリングに必要な緊締装置などを設けることが望ましい。このように、基本構造体１０の寸法を海上輸送用コンテナの国際規格に準拠した寸法とすることにより、基本構造体１０の単体での輸送が容易となる。
【００１４】
備品２０は、基本構造体１０の天井部に載置され、資機材の置き場所及び搬出入作業者の足場となる天板２１と、天板２１の周囲に立設される安全対策用の手摺り２２と、天板２１上にアクセスするための階段２３（或いは梯子でも良い）と、基本構造体１０の高さ調整部材２４（例えばＨ鋼等のビーム）とを含んでいる。これらの備品２０は、例えばボルト締め等の締結手段によって基本構造体１０に着脱自在に装着される。
【００１５】
これらの基本構造体１０及び備品２０は、人件費及び材料費の安い地域で予め製作され、必要な時に大型貯槽２の建設現場（基本構造体１０及び備品２０の製作地とは海を隔てて離れた地域）に輸送される。上記のように基本構造体１０は、海上輸送用コンテナの国際規格に準拠した寸法で構成されているので、海上輸送用コンテナと同様な手段及び手続きで海上輸送され、各備品２０は、基本構造体１０が海上輸送される際に、別の海上輸送用コンテナに積まれて一緒に輸送される。
【００１６】
図２に示すように、大型貯槽２の建設現場に基本構造体１０及び備品２０が到着すると、まず、基本構造体１０が大型貯槽２に設けられた資機材搬出入口１００の近くに設置される。この時、先に基本構造体２０の設置位置に土間コンを打設することにより、水平出しされた基礎２００を形成しておく。この基礎２００上に、備品２０の内、高さ調整部材２４（例えばＨ鋼等のビーム）を介して基本構造体１０が設置されることになる。勿論、基本構造体１０の高さ調整を行う必要がない場合は、高さ調整部材２４は不要である。
【００１７】
上記のような基本構造体１０の設置後、備品２０の内、残りの天板２１、手摺り２２及び階段２３が基本構造体１０に装着されて貯槽用資機材搬出入架台１が完成する。貯槽用資機材搬出入架台１の完成後に細かい高さ調整を行う場合には、基本構造体１０を油圧ジャッキ等によって一旦持ち上げておき、Ｈ鋼等のビームやライナープレート等の他の高さ調整部材２４を基本構造体１０と基礎２００との間に配置すれば良い。
【００１８】
なお、図２に示すように、貯槽用資機材搬出入架台１が完成した状態（設置作業が終了した状態）では、貯槽用資機材搬出入架台１と大型貯槽２との間に隙間が生じているので、この隙間を塞いで資機材の搬出入を容易とするための養生板２５を貯槽用資機材搬出入架台１と大型貯槽２との間に架け渡しておくことが望ましい。この養生板２５は、備品２０の一つとして他の備品２０（天板２１、手摺り２２、階段２３及び高さ調整部材２４）と同じ海上輸送用コンテナで輸送すれば良い。
【００１９】
以上のように、本実施形態によれば、基本構造体１０及び備品２０を人件費及び材料費の安い地域で製作しておき、必要な時に、これらの基本構造体１０及び備品２０を大型貯槽２の建設現場に輸送し、現地で基本構造体１０に備品２０を装着するだけで容易に貯槽用資機材搬出入架台１を組み立てることができるようになるため、貯槽用資機材搬出入架台１の製作コスト（人件費や材料費）を最小限に抑えることが可能となる。
【００２０】
貯槽用資機材搬出入架台１の使用後は、基本構造体１０から備品２０を外すだけで解体でき、それぞれを新たな大型貯槽２の建設現場に輸送して使い回すこともできる。また、基本構造体１０の寸法を海上輸送用コンテナの国際規格に準拠した寸法とすることにより、基本構造体１０の単体での輸送が容易となり、輸送費用の抑制にもつながる。また、輸送費計算や船積書類準備等も容易となる。
【００２１】
なお、本発明は上記実施形態に限定されず、本発明の趣旨を逸脱しない範囲において種々の変更を加えることが可能である。
例えば、上記実施形態では、基本構造体１０に装着される備品２０として、天板２１、手摺り２２、階段２３及び高さ調整部材２４等を例示したが、資機材の置き場所及び搬出入作業者の足場としての機能を満たすための備品２０であれば、これらに限定されないことは勿論である。また、備品２０の輸送に用いる海上輸送用コンテナの内部を、大型貯槽２の建設中に詰所として使用できるように予め改造しておくと便利である。
【符号の説明】
【００２２】
１…貯槽用資機材搬出入架台、２…大型貯槽、１０…基本構造体、１１…金属フレーム、２０…備品、２１…天板、２２…手摺り、２３…階段、２４…高さ調整部材
【図１】
2014070480.tif 000003
【図２】
2014070480.tif 000004